(57)【要約】【課題】ピット内に急な浸水が生じてもリフト装置の冠水を防止できるようにする。【解決手段】建屋１内に、入出庫口２に通じるリフト昇降部３を設けてリフト装置９を昇降駆動可能に収納する。リフト昇降部３の両側の格納スペース４に、リフト装置９との間で車両５を受け渡し可能な棚７を多段に備える。リフト昇降部３下端の建屋１内底部に、入出庫口２とリフト装置９上のパレット６上との間で車両５の乗り入れ乗り出しが可能となる位置までリフト装置９を下降させるためのピット１３を設ける。ピット１３の底部に、排水マス２３を設け、その上部位置に浸水センサ２４を設ける。制御器２５により、入出庫作業が行われていない待機時は、リフト装置９を２階以上の上階に待機させ、浸水センサ２４により排水マス２３内の水位の上昇が検出される場合は、ピット１３に水が溜まっている虞があるため、リフト装置９のピット１３への下降を防止させる。【選択図】図１
2007138431.tif 000002
【特許請求の範囲】
【請求項１】
建屋内に、入出庫口に通じる上下方向のリフト昇降部を設けてリフト装置を昇降駆動可能に収納し、且つ該リフト昇降部の下端となる建屋内底部にピットを設けて、該ピット内へ上記リフト装置を下降させることにより、上記入出庫口と該リフト装置の上側との間で車両の乗り入れ乗り出しを行わせることができるようにし、上記リフト装置を用いて入出庫作業を行うことができるようにしてある立体駐車装置における上記リフト装置を、入出庫作業を行わない待機時には２階以上の上階位置に待機させるようにすると共に、上記ピット内に水が溜まっている虞があるときには、上記リフト装置のピットへの下降を停止させて冠水を防止させるようにすることを特徴とする立体駐車装置のリフト冠水防止方法。
【請求項２】
ピット内に水が溜まっている虞があるか否かを、上記ピットの底部に設ける排水マス内における水位の上昇が検出されるか否かを基に判断するようにする請求項１記載の立体駐車装置のリフト冠水防止方法。
【請求項３】
建屋内に、入出庫口に通じる上下方向のリフト昇降部を設けてリフト装置を昇降駆動可能に収納し、且つ該リフト昇降部の下端となる建屋内底部にピットを設けて、該ピット内へ上記リフト装置を下降させることにより、上記入出庫口と該リフト装置の上側との間で車両の乗り入れ乗り出しを行わせることができるようにし、上記リフト装置を用いて入出庫作業を行うことができるようにしてある立体駐車装置における上記ピットに、排水マスを設けると共に、該排水マス内における水位の上昇を検出するための浸水センサを設け、更に、該浸水センサの信号を基に、上記リフト装置の昇降を制御する制御器を備えた構成を有することを特徴とする立体駐車装置のリフト冠水防止装置。
【請求項４】
制御器を、入出庫作業が行われていない待機時には、リフト装置を２階以上の上階に待機させる機能、及び、浸水センサにより排水マス内の水位の上昇が検出されるときには、リフト装置の上記ピットへの下降を防止する機能を有するものとした請求項３記載の立体駐車装置のリフト冠水防止装置。
【発明の詳細な説明】
【技術分野】
【０００１】
本発明は、車両を建屋内に上下方向に多段に並べて駐車させるエレベータ方式の立体駐車装置における建屋内に、大雨や洪水等により浸水が生じても、リフト装置が冠水しないようにするための立体駐車装置のリフト冠水防止方法及び装置に関するものである。
【背景技術】
【０００２】
限られた敷地に効率よく車両を駐車するための設備の一つとして、エレベータ方式の立体駐車装置が知られている。かかるエレベータ方式の立体駐車装置の一つとしては、図３にその一例の概略を示す如く、入庫する車両をパレット上に乗り入れさせた後、該パレットごと搬送する形式のものがある。
【０００３】
すなわち、図３に示すエレベータ方式の立体駐車装置は、地上に立設した建屋１の中央部に、車両乗り入れ階となる１階部分の中央部前面に設ける入出庫口２に通じるリフト昇降部（昇降路）３が上下方向に形成してある。又、建屋１内における上記リフト昇降部３を左右で挟む位置には、格納スペース４が形成してあり、該左右の各格納スペース４には、車両５を搭載するためのパレット６の長手方向（前後方向）両端部を横送り装置１０を介して支持できるようにした棚７が、所要の配列ピッチで上下方向へ多段に亘り階層状にそれぞれ設けてある。更に、横送り装置１０を備えたリフト装置（リフトケージ）９を、上記リフト昇降部３に配置して、建屋１内の頂部の支持台８上に設置してある巻上装置１１のワイヤーロープ１２に吊り下げて支持させてある。これにより、該巻上装置にてワイヤーロープ１２を巻上下することにより、上記リフト装置９がリフト昇降部３を昇降させられるようにしてある。上記リフト昇降部３の底部には、上記リフト装置９上にセットされるパレット６の上面が入出庫口２とほぼ同じ高さレベルに配置されるようになるまで該リフト装置９を吊り降ろすためのピット１３を設けてなる構成としてある。１４は建屋１の鉄骨である。
【０００４】
上記構成としてあるエレベータ方式の立体駐車装置を用いて車両５を入庫させる場合は、予め、所要段の棚７より取り出された空のパレット６をリフト装置９上にセットした状態にてピット１３内へ吊り降ろしておくようにする。次に、駐車させる車両５を、中央部の入出庫口２より上記リフト装置９上のパレット６上に乗り入れて搭載させる。次いで、巻上装置１１により上記リフト装置９を吊り上げて、上記実車パレット６を、駐車予定棚７の高さ位置に対応するまで上昇させる。しかる後、リフト装置９の横送り装置１０で車両５をパレット６ごと横行させて該棚７に格納させるようにしてある（たとえば、特許文献１参照）。
【０００５】
一方、駐車している車両５を出庫する場合は、上記入庫の場合とは逆の操作手順を行うようにすればよい。すなわち、先ず、巻上装置１１により、リフト装置９を、出庫対象となる車両５が載置されている実車パレット６の格納してある所要の棚７の高さ位置に対応するように昇降させる。次に、該棚７に格納してある出庫対象車両５の実車パレット６を、リフト装置９の横送り装置１０により横行させてリフト装置９上に搭載させる。次いで、巻上装置１１により上記リフト装置９をピット１３内へ吊り降ろし、しかる後、上記車両５をリフト装置９上のパレット６の上から入出庫口２を経て外部へ乗り出させるようにすればよい。
【０００６】
上記車両５の出庫作業が終了すると、リフト装置９上には空のパレット６が残るようになる。この空パレット６を入出庫口２の位置に待機させておけば、次に行われる作業が車両５の入庫作業である場合に入庫作業を速やかに開始できるようになることから、上記車両５の出庫作業を終了した後は、空パレット６がセットされたリフト装置９を、ピット１３内へ吊り降ろした状態のまま待機させるようにすることが一般に行われている。
【０００７】
上記の如きエレベータ方式の立体駐車装置における入出庫口２は、通常、図示しない入出庫扉を装備してあり、たとえば、リフト装置９の昇降動作中や、入出庫作業を行わせていない待機中等、入出庫口２を通して車両５をパレット６上に乗り入れたり、パレット６上から外部へ乗り出しを行う以外のときは、上記入出庫口２を入出庫扉によって閉じて、建屋１内部を無人の状態とさせるようにしておくようにすることが一般的である。又、上記の如きエレベータ方式の立体駐車装置では、雨天時に車両５の入出庫を行うとき等に建屋１内に多少の水が入ることがある。このため、通常は、この建屋１内に浸入した水を上記ピット１３の所要個所に設けた図示しない排水会所（排水マス）へ集め、排水ポンプの如き所要の排水装置を用いて外部へ排出させるようにしてある。
【０００８】
ところで、近年、地下を使って複数台の駐車スペースを確保できるようにするための装置として、地下ピット昇降式の多段の立体駐車装置が多く利用されるようになってきている。
【０００９】
かかる地下ピット昇降式の立体駐車装置は、図４にその一例の概略を示す如く、地下にピット１５を形成し、該地下ピット１５の底面に支柱１６を立てる。又、駐車パレット１７を、上下方向複数段、たとえば、上下２段に配置すると共に、該各駐車パレット１７同士を上下方向に延びるパレット支柱１８で一体に連結して車両積載用の構造体１９とし、該車両積載用構造体１９を、上記支柱１６に沿い上下方向に変位（移動）可能に支持させ、更に、上記車両積載用構造体１９を昇降駆動するための所要の昇降駆動装置２０を備えた構成としてある。これにより、通常は、上記車両積載用構造体１９を地下ピット１５内へ収容するように下降させて、上段駐車パレット１７を地面と同じ高さレベルに配置させた状態とすることにより、該上段駐車パレット１７に対し車両２１を入出庫できるようにしてある。又、上記昇降駆動装置２０を作動させて上記車両積載用構造体１９を支柱１６に沿わせて上昇させ、上記下段駐車パレット１７を地面と同じ高さレベルに配置させた状態とすることにより、該下段駐車パレット１７に対しての車両２１の入出庫作業を行うことができるようにしてある。
【００１０】
上記のような地下ピット昇降式の立体駐車装置では、雨水等が地下ピット１５内に流れ込んで上記昇降駆動装置２０が冠水すると、該昇降駆動装置２０が機能停止する虞が懸念される。そのために、図５に示す如く、図４に示したと同様の立体駐車装置において、車両積載用構造体１９を昇降させる昇降駆動装置２０を、上段の駐車パレット１７に支持させてなる構成として、地下ピット１５（図４参照）内に雨水等が流入して昇降駆動装置２０の電気系統が冠水する虞が懸念されるときには、図示しない操作盤により上記昇降駆動装置２０を作動させて、上記車両積載用構造体１９を、下段駐車パレット１７に対する車両２１（図４参照）の入出庫が可能となる位置まで上昇させるようにしている。これにより、上記昇降駆動装置２０を上段駐車パレット１７と一緒に地面よりも高い位置まで上昇させて、該昇降駆動装置２０の冠水を防止するようにすることが提案されている（たとえば、特許文献２参照）。
【００１１】
又、上記と同様に、地下ピット内に、上下方向複数段の駐車パレットを上下方向に延びるパレット支柱で連結して車両を多段に収納できるようにしてなる車両積載用の構造体（車両昇降装置）を、昇降可能に具備してなる地下ピット昇降式の立体駐車装置においては、豪雨等により地下ピット内に多量の浸水が生じると、地下部分に収納されている車両の水没事故が生じる虞が懸念される。そのために、図６に示す如く、地下ピット１５内に、浸水のレベルが該ピット１５の床面よりも所要量上部となる位置を異常レベルとして検出するための異常検出器２２を設けて、該異常検出器２２にて地下ピット１５内の浸水レベルが検出されると、車両積載用構造体（車両昇降装置）１９を、最下段の車両２１が地上に出る配置となるまで自動的に上昇させるようにすることも従来考えられてきている（たとえば、特許文献３参照）。なお、図６において、図４に示したものと対応するものにはそれぞれ対応する符号が付してある。
【００１２】
【特許文献１】特許第３２３９１９８号公報
【特許文献２】特開平７−１８９９０号公報
【特許文献３】特開平１０−２１９７１１号公報
【発明の開示】
【発明が解決しようとする課題】
【００１３】
ところが、図３に示した如き従来のエレベータ方式の立体駐車装置におけるピット１３内の排水を行うための排水装置は、雨天時における車両の入出庫等に伴って建屋１内へ浸入する程度の比較的少量の水の浸入を前提としてその排水能力が設定されているため、集中豪雨等の大雨時や洪水の発生等により建屋１に多量の浸水が生じてピット１３内に多量の雨水等が浸入するようになると、上記排水装置による排水が間に合わなくなってピット１３内に水が溜まる虞がある。
【００１４】
このようにしてピット内１３に水が溜まった状態のときに、入出庫作業の進行に伴い該ピット１３内へのリフト装置９の吊り降ろし動作を行わせると、該リフト装置９が冠水し、これにより、横送り装置１０等の上記リフト装置９に付属している電気機器が水没して悪影響を受ける虞が懸念される。
【００１５】
更に、上記従来のエレベータ方式の立体駐車装置では、駐車車両５の出庫作業終了後に、空のパレット６がセットされた状態となるリフト装置９をピット１３内に吊り降ろした状態のまま待機させるようにすることが一般に行われているため、この待機状態のときにピット１３内に多量の浸水が生じると、上記リフト装置９が直ちに冠水してしまう可能性もある。
【００１６】
なお、上記図５に記載されたものは、地下ピット昇降式の立体駐車装置における車両積載用構造体１９を昇降させるための昇降駆動装置２０の冠水防止を図るためのものであって、図３に示した如きエレベータ方式の立体駐車装置におけるリフト装置９の冠水防止対策にそのまま適用できるものではない。
【００１７】
しかも、図５に記載されたものでは、地下ピット１５（図４参照）内に雨水等が流入して昇降駆動装置２０の電気系統が冠水するようになる虞が懸念されるときに、上記昇降駆動装置２０を作動させるようにしてあるが、この際、地下ピット１５内に溜まる雨水等の量を検出するための手段は何ら示されておらず、又、上記昇降駆動装置２０の作動は、操作盤の操作を介して行わせるようにする考えが示されているのみであることから、地下ピット１５内の水位に応じて上記昇降駆動装置２０を自動的に作動させることができるようにはなっていない。これに対し、前述したように、図３に示した如きエレベータ方式の立体駐車装置では、一般に、ピット１３内にリフト装置９を吊り下ろした状態で車両５を入出庫させるとき以外のときには入出庫口２を入出庫扉により閉じて、建屋１の内部を無人化するようにしてあるため、作業者がピット１３内の水位を確認したり、該水位に応じてリフト装置９を直接操作することは困難である。
【００１８】
図６に示したものでは、地下ピット１５内に、浸水レベルが該ピット１５の床面よりも所要量上部となる位置を異常レベルとして検出する異常検出器２２を設けて、該異常検出器２２による地下ピット１５内の浸水レベルの検出信号を基に、車両積載用構造体（車両昇降装置）１９を自動的に上昇させる考えが記載されていることから、この考えに鑑みて、図３に示した如きエレベータ方式の立体駐車装置において、浸水レベルがピット１３の床面よりも所要量上部となる位置を異常レベルとして検出する異常検出器を設けて、該異常検出器による該ピット１３内の浸水レベルの検出信号を基に、リフト装置９を自動的に上昇させるようにして、ピット１３内でのリフト装置９の冠水防止対策を図ることが考えられる。しかし、このような対策を施したとしても、車両５の出庫作業終了後に、空のパレット６がセットされたリフト装置９をピット１３内に吊り降ろした状態で待機させているときに、集中豪雨等の大雨時や洪水の発生等により建屋１が浸水してピット１３内に多量の雨水等が急に浸入するようになる場合には、上記異常検出器でピット１３内の浸水が検出されてからリフト装置９を上昇させようとするよりも早くピット１３内の水位が上昇してしまい、リフト装置９の上方への退避が間に合わない可能性があり、このため、リフト装置９が冠水する虞を確実に解消できるものではない。
【００１９】
そこで、本発明は、エレベータ方式の立体駐車装置にて、集中豪雨等の大雨時や洪水の発生等により建屋内のピットに多量の浸水が急に生じても、リフト装置の冠水を確実に防止することができる立体駐車装置のリフト装置冠水防止方法及び装置を提供しようとするものである。
【課題を解決するための手段】
【００２０】
本発明は、上記課題を解決するために、建屋内に、入出庫口に通じる上下方向のリフト昇降部を設けてリフト装置を昇降駆動可能に収納し、且つ該リフト昇降部の下端となる建屋内底部にピットを設けて、該ピット内へ上記リフト装置を下降させることにより、上記入出庫口と該リフト装置の上側との間で車両の乗り入れ乗り出しを行わせることができるようにし、上記リフト装置を用いて入出庫作業を行うことができるようにしてある立体駐車装置における上記リフト装置を、入出庫作業を行わない待機時には２階以上の上階位置に待機させるようにすると共に、上記ピット内に水が溜まっている虞があるときには、上記リフト装置のピットへの下降を停止させて冠水を防止させるようにする立体駐車装置のリフト冠水防止方法、及び、建屋内に、入出庫口に通じる上下方向のリフト昇降部を設けてリフト装置を昇降駆動可能に収納し、且つ該リフト昇降部の下端となる建屋内底部にピットを設けて、該ピット内へ上記リフト装置を下降させることにより、上記入出庫口と該リフト装置の上側との間で車両の乗り入れ乗り出しを行わせることができるようにし、上記リフト装置を用いて入出庫作業を行うことができるようにしてある立体駐車装置における上記ピットに、排水マスを設けると共に、該排水マス内における水位の上昇を検出するための浸水センサを設け、更に、該浸水センサの信号を基に、上記リフト装置の昇降を制御する制御器を備えた構成を有する立体駐車装置のリフト冠水防止装置とする。
【００２１】
又、上記において、ピット内に水が溜まっている虞があるか否かを、上記ピットの底部に設ける排水マス内における水位の上昇が検出されるか否かを基に判断するようにする方法とする。
【００２２】
又、上述の構成において、制御器を、入出庫作業が行われていない待機時には、リフト装置を２階以上の上階に待機させる機能、及び、浸水センサにより排水マス内の水位の上昇が検出されるときには、リフト装置の上記ピットへの下降を防止する機能を有するものとした構成とする。
【発明の効果】
【００２３】
本発明によれば、以下の如き優れた効果を発揮する。  
（１）建屋内に、入出庫口に通じる上下方向のリフト昇降部を設けてリフト装置を昇降駆動可能に収納し、且つ該リフト昇降部の下端となる建屋内底部にピットを設けて、該ピット内へ上記リフト装置を下降させることにより、上記入出庫口と該リフト装置の上側との間で車両の乗り入れ乗り出しを行わせることができるようにし、上記リフト装置を用いて入出庫作業を行うことができるようにしてある立体駐車装置における上記リフト装置を、入出庫作業を行わない待機時には２階以上の上階位置に待機させるようにすると共に、上記ピット内に水が溜まっている虞があるときには、上記リフト装置のピットへの下降を停止させて冠水を防止させるようにする立体駐車装置のリフト冠水防止方法、及び、上記と同様の構成としてある立体駐車装置における上記ピットに、排水マスを設けると共に、該排水マス内における水位の上昇を検出するための浸水センサを設け、更に、該浸水センサの信号を基に、上記リフト装置の昇降を制御する制御器を備えた構成を有する立体駐車装置のリフト冠水防止装置とし、更に、上記制御器を、入出庫作業が行われていない待機時には、リフト装置を２階以上の上階に待機させる機能、及び、浸水センサにより排水マス内の水位の上昇が検出されるときには、リフト装置の上記ピットへの下降を防止する機能を有するものとした構成としてあるので、集中豪雨等の大雨時や洪水の発生等により建屋に浸水が生じてピットに水が溜まるようになるときには、リフト装置がピット内へ下降しないようになるため、該リフト装置が冠水する虞を未然に防止できる。しかも、入出庫作業の間の待機中には、リフト装置は２階以上の上階の位置で待機するため、ピットへ多量の水が急に浸入しても、リフト装置が冠水する虞を確実に防止できる。したがって、該リフト装置に付設されている電気機器が水没して悪影響を受ける虞を未然に防止することが可能となる。  
（２）上記において、ピット内に水が溜まっている虞があるか否かを、上記ピットの底部に設ける排水マス内における水位の上昇が検出されるか否かを基に判断するようにすることにより、雨天時における車両の入出庫作業に伴って建屋内に入る水を排出するために、上記のような立体駐車装置のピットの排水マスに一般に設けられている排水装置の排水能力を上回るような浸水が生じて、ピットに水が溜まる虞が生じる場合に、確実にリフト装置の冠水を防止できる。
【発明を実施するための最良の形態】
【００２４】
以下、本発明を実施するための最良の形態を図面を参照して説明する。
【００２５】
図１（イ）（ロ）は本発明の立体駐車装置のリフト冠水防止方法及び装置の一形態を示すもので、図３に示したと同様の構成としてあるエレベータ方式の立体駐車装置において、ピット１３の内底部所要個所に、排水マス２３を設けると共に、該排水マス２３の内底部より排水を行わせるための図示しない排水装置を設けて、雨天時における車両５の入出庫等に伴って建屋１内へ浸入する水の排水を行うことができるようにする。又、上記排水マス２３における所要高さ位置には、水面レベルを検出するためのフロートスイッチ等の浸水センサ２４を設ける。更に、上記浸水センサ２４より入力される検出信号に応じて、後述する制御則に基づいて巻上装置１１へ指令を与えてリフト装置９の昇降動作を制御する機能を有する制御器２５を備えた構成とする。
【００２６】
詳述すると、上記浸水センサ２４を設置する高さ位置は、建屋１へ浸入する水量が、上記排水マス２３に設けられている排水装置の排水能力を上回ることによって、該排水マス２３内で水位が上昇していることを検出できるような高さレベル、たとえば、上記排水マス２３における上部所要位置に設置するようにする。これにより、集中豪雨等の大雨時や洪水の発生等により建屋１に浸水が生じて、ピット１３へ浸入する水量が上記排水装置の排水能力を上回って上記排水マス２３内で水位が上昇し、該排水マス２３がほぼ満杯なると、上記浸水センサ２４より水面レベルの検出信号が出力されるようになる。この浸水センサ２４からの検出信号が制御器２５に入力されると、その後、直ぐに、排水マス１３内に受けきれない水がピット１３内に溜まり始めている虞があるとの判断ができるようにしてある。
【００２７】
建屋１の入出庫口２は、図示しない入出庫扉を具備してなる構成としてある。又、該入出庫口２近傍となる建屋１の外部所要個所、たとえば、建屋１の外側壁に、車両５の入庫作業を開始させるための入庫開始スイッチ２７と、出庫作業を開始させるための出庫開始スイッチ２８と、上記入出庫口２の入出庫扉を閉じるための扉閉スイッチ２９とを備えた操作盤２６を設け、該操作盤２６を上記制御器２５に接続する。
【００２８】
図２は上記制御器２５における制御則の基本的な制御フローを示すもので、該制御器２５は、前提条件として、入出庫作業の行われていない待機時には、リフト装置９を２階以上の上階に待機させるようにしてある（ステップ１：Ｓ１）。この待機状態のときに、上記操作盤２６における入庫開始スイッチ２７又は出庫開始スイッチ２８が操作されて入出庫作業の開始が指示されると（ステップ２：Ｓ２）、上記制御器２５は、上記浸水センサ２４からの検出信号の入力の有無に基づいてピット１３内の排水マス２３が満杯となっているか否かを判断する（ステップ３：Ｓ３）。該ステップ３（Ｓ３）にて、上記浸水センサ２４からの検出信号が入力されているときには、上記排水マス２３が満杯となっており、その後、直ぐに、上記ピット１３内に水が溜まり始めている虞があると判断できるため（ステップ４：Ｓ４）、この場合には、上記水が溜まり始めている虞のあるピット１３内へ上記リフト装置９を吊り下ろして冠水させることがないように、上記リフト装置９のピット１３内への下降を防止し（ステップ５：Ｓ５）、上記ステップ１（Ｓ１）の待機状態のまま保持させるようにしてある。
【００２９】
一方、上記ステップ３（Ｓ３）にて、上記浸水センサ２４からの検出信号が制御器２５へ入力されていないときには、上記排水マス２３が満杯となっておらず、したがって、上記ピット１３内に水が溜まっている虞がないと判断できるため、制御器２５は、図３に示した従来のエレベータ方式の立体駐車装置と同様にして、上記リフト装置９を、空パレット６を載置した状態、又は、出庫対象車両５の実車パレット６を搭載した状態でピット１３内へ吊り降ろして、入庫作業又は出庫作業を開始させるようにしてあり（ステップ６：Ｓ６）、その後、所定の入出庫作業が完了すると（ステップ７：Ｓ７）、上記ステップ１（Ｓ１）に戻って、上記リフト装置９を、再び２階以上の上階まで上昇させた状態で待機させるようにしてある。
【００３０】
更に、本実施の形態においては、上記制御器２５は、図１（ロ）に示す如く、リフト装置９に具備された横送り装置１０の作動を制御する機能と、入出庫口２の図示しない入出庫扉の開閉操作を制御する機能を併せて有するようにしてある。
【００３１】
その他、図３に示したものと同一のものには同一符号が付してある。
【００３２】
以上の構成としてある、エレベータ方式の立体駐車装置を使用する手順について具体的に示す。車両５を入庫させる場合は、利用者（図示せず）が操作盤２６により入庫開始スイッチ２７を操作すると、制御器２５はその信号を受けて、先ず、２階以上の上階に待機させてあるリフト装置９に、図３に示した従来のエレベータ方式の立体駐車装置における入庫作業と同様に、所要の棚７に対応する空のパレット６を載置させた状態とした後、巻上装置１１に指令を与えて、該リフト装置９をピット１３内まで下降させて上記空のパレット６が入出庫口２の内側に配置されるようにし、次いで、入出庫口２の入出庫扉を開放させるようにする。
【００３３】
その後、利用者が、上記入出庫口２を通って空のパレット６上へ車両５を乗り入れた後、車両５から降りて入出庫口２より外部へ退出し、安全確認をした後、操作盤２６の扉閉スイッチ２９を操作すると、制御器２５は、上記入出庫口２の入出庫扉を閉じた後、巻上装置１１により上記リフト装置９を吊り上げて、上記車両５が搭載された実車パレット６を、駐車予定棚７の高さ位置に対応するまで上昇させ、しかる後、リフト装置９の横送り装置１０により上記車両５をパレット６ごと横行させて該棚７に格納させる。その後、制御器２５は、上記実車パレット６の棚７への格納によって空となるリフト装置９を、その場で停止させた状態で待機させるようにする。
【００３４】
その後、続けて別の車両５の入庫を行わせるべく、上記操作盤２６の入庫開始スイッチ２７が操作されると、制御器２５は、上記巻上装置１１に指令を与えて上記リフト装置９を空のパレット６が収納されている所要の棚７と対応する位置まで昇降させ、該棚７の空のパレット６をリフト装置９に搭載させた後、該リフト装置９をピット１３内まで下降させて、上記と同様の手順によって入庫作業を行わせるようにする。
【００３５】
一方、建屋１内部に格納してある駐車車両５を出庫させる場合は、利用者が、操作盤２６にて、たとえば、入庫時に各駐車車両５に割り当てられる番号等を図示しない入力キーを用いて入力することにより出庫作業の対象車両５を指定すると共に、該操作盤２６の出庫開始スイッチ２８を操作すると、上記制御器２５はその信号を受けて、先ず、２階以上の上階にて、リフト装置９が空パレット６を搭載した状態で待機している場合には、予め、巻上装置１１に適宜指令を与えてリフト装置９を、該リフト装置９上の空パレット６と対応する棚７に応じた位置まで昇降させてからリフト装置９の横送り装置１０により上記空パレット６を対応する棚７へ格納させてリフト装置９を一旦空の状態とさせる。一方、リフト装置９が空で待機している場合にはその状態のままでよい。次に、制御器２５は、図３に示した従来のエレベータ方式の立体駐車装置における出庫作業と同様に、巻上装置１１に指令を与えて上記空のリフト装置９を出庫対象車両５が格納してある所要の棚７の高さ位置に対応するように昇降させてから、該棚７とリフト装置９の横送り装置１０により、該棚７より出庫対象車両５の実車パレット６を横行させてリフト装置９上に搭載させる。次いで、制御器２５は、巻上装置１１に指令を与えて上記リフト装置９をピット１３内へ下降させた後、入出庫口２の入出庫扉を開放させるようにする。
【００３６】
この状態にて、利用者は、上記入出庫口２まで移送された出庫対象車両５を運転して、リフト装置９上のパレット６の上から入出庫口２を経て外部へ乗り出す。しかる後、上記利用者が安全を確認した後、操作盤２６の扉閉スイッチ２９を操作すると、制御器２５は、上記入出庫口２の入出庫扉を閉じた後、上記巻上装置１１に指令を与えて、上記車両５が出庫された後の空パレット６を載置してなるリフト装置９を、ピット１３内より２階以上の上階、たとえば、図１（イ）に示す如く、２階位置まで上昇させた後、該位置で次の入出庫作業が開始されるまで待機させるようにする。
【００３７】
更に、集中豪雨等の大雨時や洪水等により建屋１内に浸水が生じて、上記ピット１３へ、該ピット１３に付設されている排水装置の排水能力を越えるような多量の水が浸入すると、排水マス２３内の水位レベルが上昇して浸水センサ２４により検出されるようになり、この浸水センサ２４からの検出信号が制御器２５に入力されると、該制御器２５では、ピット１３内に水が溜まっている虞が生じていると判断し、巻上装置１１に直ちに指令を与えてリフト装置９のピット１３内への下降を行わせないようにする。
【００３８】
すなわち、たとえば、入庫作業の開始前に上記浸水センサ２４からの検出信号が制御器２５へ入力される場合には、該制御器２５は、巻上装置１１への指令を与えないか、あるいは、停止指令を発することによって、２階以上の上階にて待機させてあるリフト装置９を、その待機位置のまま保持してピット１３内へ下降させないようにする。
【００３９】
又、入庫作業を行うべく空のパレット６を搭載したリフト装置９をピット１３へ向けて下降させている途中で上記浸水センサ２４の検出信号が制御器２５へ入力されるようになる場合には、制御器２５は、直ちに巻上装置１１へ停止指令を与えることにより、リフト装置９の下降動作を直ちに停止させて、該リフト装置９のピット１３内への下降を行わせないようにする。
【００４０】
更に、入庫作業に伴って入庫した車両５の実車パレット６をリフト装置９に搭載して格納予定棚７へ搬送している途中で上記浸水センサ２４からの検出信号が制御器２５へ入力されるようになる場合には、その後、上記実車パレット６の格納予定棚７への移送作業を継続しても、リフト装置９がピット１３へ下降することはないため、制御器２５は、上述した入庫作業の場合と同様にして、リフト装置９を、格納予定棚７と対応する位置まで上昇させた後、リフト装置９から上記車両５をパレット６ごと棚７へ横行させて格納させ、しかる後、リフト装置９をその場で停止させて待機状態とさせるようにする。
【００４１】
一方、出庫動作の開始前に上記浸水センサ２４の検出信号が制御器２５へ入力される場合には、該制御器２５は、巻上装置１１への指令を発しないことによって、２階以上の上階にて待機させるようにしてあるリフト装置９を、待機位置にそのまま保持してピット１３内への下降を行わせないようにする。
【００４２】
又、出庫作業を行うべく出庫対象車両５の実車パレット６を搭載したリフト装置９をピット１３へ向けて下降させている途中で上記浸水センサ２４の検出信号が制御器２５へ入力されるようになる場合には、制御器２５は、直ちに巻上装置１１へ停止指令を与えることにより、リフト装置９の下降動作を直ちに停止させて、該リフト装置９のピット１３内への下降を行わせないようにする。
【００４３】
なお、上記入出庫作業の途中で浸水センサ２４の検出信号に基づいてリフト装置９のピット１３内への下降を停止させる場合には、リフト装置９の冠水を防止することを目的として該リフト装置９の動作を停止しているため、入出庫作業ができない旨を、操作盤２６に表示する等して入出庫作業を行おうとしている利用者に知らせるようにすることが望ましい。
【００４４】
その後、建屋１への浸水が止まって、排水マス２３に装備されている排水装置の働きによりピット１３内の水が排水されて、排水マス２３における水位が低下すれば、浸水センサ２４からの検出信号が制御器２５へ入力されなくなるため、該制御器２５は、リフト装置９のピット１３内への下降を許可するようになる。このため、通常の入出庫作業を行うことができるようになる。
【００４５】
このように、本発明の立体駐車装置のリフト冠水防止方法及び装置によれば、集中豪雨等の大雨時や洪水の発生等により建屋１に浸水が生じてピット１３に多量の水が浸入して該ピット１３内に溜まる虞が生じると、リフト装置９をピット１３内へ下降させないようにしてあるため、該リフト装置９が冠水する虞を未然に防止できる。しかも、入出庫作業の間の待機中には、リフト装置９を、予め、２階以上の上階の位置で待機させるようにしてあるため、ピット１３へ多量の水が速い速度で浸入しても、リフト装置９が冠水する虞を確実に防止できる。したがって、該リフト装置９に付設されている横送り装置１０等の電気機器が水没して悪影響を受ける虞を未然に防止することが可能となる。
【００４６】
なお、本発明は上記実施の形態のみに限定されるものではなく、入出庫口２の内側となる建屋１の内底部に設けたピット１３と、その上方のリフト昇降部３でリフト装置９を昇降させることにより、建屋１の入出庫口２と建屋１内の格納スペース４との間で駐車車両５の移送を行うようにしてあるエレベータ方式の立体駐車装置であれば、たとえば、リフト装置９の昇降を、ワイヤーロープ１２の巻上げ下げを行う巻上装置１１以外の昇降駆動装置により行わせるようにした形式、リフト装置９と格納スペース４に多段に階層状に設けられた棚７との間でパレット６の受け渡しを行うための横送り装置をリフト装置９側あるいは棚７側のいずれか一方のみに設けるようにした形式、リフト装置の上側、及び、格納スペース４の各棚７に上側に車両を直接載置して横送りできるようにしてある横送り装置をそれぞれ具備して、入出庫口２よりピット１３内へ吊り下ろした上記リフト装置の横送り装置上へ直接車両５を乗り入れさせた後、リフト装置９を所要の棚の位置まで上昇させてから、該リフト装置上と棚７側の各横送り装置を協働させて、リフト装置上から棚への車両の受け渡しを行えるようにした形式、その他、いかなる形式のエレベータ方式の立体駐車装置にも適用できる。又、建屋１の形状や建屋１内の格納スペース４における棚７の配置は適宜変更してもよい。
【００４７】
操作盤２６は、入庫開始スイッチ２７と出庫開始スイッチ２８と扉閉スイッチ２９とを備えてなるものとして示したが、これらのスイッチ２７，２８，２９はいかなる形式のものでもよく、その他に、入出庫させる車両５のデータや暗証番号等を入力するためのキーや、エレベータ方式の立体駐車装置の操作盤に従来備えられているような各種スイッチを適宜具備するようにしてもよい。更に、建屋１内が無人となることの確認や、安全確認を自動で行うことができれば、上記扉閉スイッチ２９を省略してもよい。
【００４８】
制御器２５は、少なくとも入出庫作業の行われていない待機時に、リフト装置９を２階以上の上階に待機させる機能と、浸水センサ２４からの検出信号の入力があるときには、リフト装置９のピット１３内への下降を防止する機能とを有していればよく、リフト装置９に具備された横送り装置１０の作動を制御する機能、入出庫口２の図示しない入出庫扉の開閉操作を制御する機能を別の制御器に持たせるようにしてもよい。あるいは、エレベータ方式の立体駐車装置を運用するために所望される制御機能を併せ持つようにしてもよい。
【００４９】
その他本発明の要旨を逸脱しない範囲内において種々変更を加え得ることは勿論である。
【図面の簡単な説明】
【００５０】
【図１】本発明の立体駐車装置のリフト冠水防止方法及び装置の実施の一形態を示すもので、（イ）は駐車装置全体を示す概略切断側面図、（ロ）は制御系統を示す概要図である。
【図２】図１の装置の制御器における基本の制御フローを示す図である。
【図３】従来のエレベータ方式の立体駐車装置を示す概略切断側面図である。
【図４】従来提案されている地下ピット昇降式の立体駐車装置の一例を示す概要図である。
【図５】地下ピット昇降式の立体駐車装置における昇降駆動装置の冠水を防止するために従来提案されている手法を示す概要図である。
【図６】地下ピット昇降式の立体駐車装置における車両の水没事故を防止するために従来提案されている手法を示す概要図である。
【符号の説明】
【００５１】
１  建屋
２  入出庫口
３  リフト昇降部
４  格納スペース
５  車両
７  棚
９  リフト装置
１３  ピット
２３  排水マス
２４  浸水センサ
２５  制御器
【図１】
2007138431.tif 000003
【図２】
2007138431.tif 000004
【図３】
2007138431.tif 000005
【図４】
2007138431.tif 000006
【図５】
2007138431.tif 000007
【図６】
2007138431.tif 000008